(57)【要約】【課題】現場設備側の設備機器郡と複数台のパソコンをネットワーク接続し、各設備機器の運用状況を各パソコンで機能分散して管理するシステムおよび方法において、メンテナンス情報の変更および整合性確保を確実、容易にする。【解決手段】現場設備１側にＷｅｂ監視装置１Ｃを設け、このＷｅｂ監視装置は設備機器別のメンテナンス情報をそれぞれ登録、設定、変更可能にする。  各パソコン２Ａ〜２Ｄは、クライアント側としてＷｅｂ監視装置とのネットワーク通信によって、該Ｗｅｂ監視装置内のメンテナンス情報を共有管理情報としてその登録、設定、変更、確認を行う。【選択図】図１
2008102650.tif 000002
【特許請求の範囲】
【請求項１】
現場設備側の設備機器郡と複数台のパソコンをネットワーク接続し、各設備機器の運用状況を各パソコンで機能分散して管理するシステムであって、
現場設備側にＷｅｂ監視装置を設け、このＷｅｂ監視装置は前記設備機器別のメンテナンス情報をそれぞれ登録、設定、変更可能にした手段を設け、
前記各パソコンは、クライアント側として前記Ｗｅｂ監視装置とのネットワーク通信によって、該Ｗｅｂ監視装置内のメンテナンス情報を共有管理情報としてその登録、設定、変更、確認を行う手段を設けたことを特徴とする設備機器郡のメンテナンス情報の管理システム。
【請求項２】
現場設備側の設備機器郡と複数台のパソコンをネットワーク接続し、各設備機器の運用状況を各パソコンで機能分散して管理する方法であって、
現場設備側にＷｅｂ監視装置を設け、このＷｅｂ監視装置は前記設備機器別のメンテナンス情報をそれぞれ登録、設定、変更可能にする過程を有し、
前記各パソコンは、クライアント側として前記Ｗｅｂ監視装置とのネットワーク通信によって、該Ｗｅｂ監視装置内のメンテナンス情報を共有管理情報としてその登録、設定、変更、確認を行う過程を有することを特徴とする設備機器郡のメンテナンス情報の管理方法。
【発明の詳細な説明】
【技術分野】
【０００１】
本発明は、設備機器郡と複数台のパソコンをネットワーク接続し、各設備機器の運用状況を各パソコンで機能分散して管理するシステムおよび管理方法に係り、特に設備機器郡のメンテナンス情報の管理システムおよび管理方法に関する。
【背景技術】
【０００２】
この種の管理方式になるシステム構成を図７に示す。現場設備１としては、工場や高層ビルにおける非常用発電関係の設備１Ａ、給湯用ボイラ関係の設備１Ｂなど、多数の設備機器を管理対象とする。４台のパソコン２Ａ〜２Ｄは、現場設備１とはインターネット網またはＬＡＮで接続され、各設備機器の監視制御の他に、運転管理、日報管理、メンテナンス管理を機能分散して実行する。例えば、パソコン２Ａと２Ｂは発電関係の設備をメンテナンス管理し、パソコン２Ｃと２Ｄはボイラ関係の設備をメンテナンス管理する。
【０００３】
このような機能分散した情報管理は、例えば、エンジン関係の設備とボイラ関係の設備とはそれぞれ専門のメーカが開発したアプリケーションを搭載したパソコンで管理するため、これら機能を統合して管理できるホストコンピュータやデータセンタの設置を設置する場合に比べて、それらを不要とするメリットもある（例えば、特許文献１参照）。
【特許文献１】特開２００１−６７３３４号公報
【発明の開示】
【発明が解決しようとする課題】
【０００４】
前記のように、複数台のパソコンで機能分散して現場設備を管理する場合、各パソコンから設備機器の管理情報を変更入力し、それぞれの管理者が管理するため、全てのパソコンで整合性を得ようとすると、各パソコンに対して同じ変更作業を正確に実施し、各パソコンで管理できるようにしておく必要がある。
【０００５】
例えば、発電関係の設備をメンテナンス管理するパソコン２Ａと２Ｂは、一方のパソコン２Ａでメンテナンス情報を変更入力すると、他方のパソコン２Ｂについてもメンテナンス情報を誤りなく変更入力する必要があり、管理者の作業負担が高くなる。
【０００６】
また、パソコン２Ａと２Ｃは管理対象設備が１Ａと１Ｂで異なるが、設備１Ａと１Ｂの運転が互いに関連する場合、それらのメンテナンス情報をパソコン２Ａで変更入力した場合に他方のパソコン２Ｃでも変更入力する必要がある。さらに、各設備は、メーカ毎に独自のメンテナンス情報を持つため、管理対象設備が異なるパソコン間でメンテナンス情報の整合性がとれない場合が生じる。
【０００７】
本発明の目的は、メンテナンス情報の変更および整合性確保を確実、容易にしたメンテナンス情報の管理システムおよび管理方法を提供することにある。
【課題を解決するための手段】
【０００８】
前記の課題を解決するための本発明は、以下のシステムおよび方法を特徴とする。
【０００９】
（１）現場設備側の設備機器郡と複数台のパソコンをネットワーク接続し、各設備機器の運用状況を各パソコンで機能分散して管理するシステムであって、
現場設備側にＷｅｂ監視装置を設け、このＷｅｂ監視装置は前記設備機器別のメンテナンス情報をそれぞれ登録、設定、変更可能にした手段を設け、
前記各パソコンは、クライアント側として前記Ｗｅｂ監視装置とのネットワーク通信によって、該Ｗｅｂ監視装置内のメンテナンス情報を共有管理情報としてその登録、設定、変更、確認を行う手段を設けたことを特徴とする。
【００１０】
（２）現場設備側の設備機器郡と複数台のパソコンをネットワーク接続し、各設備機器の運用状況を各パソコンで機能分散して管理する方法であって、
現場設備側にＷｅｂ監視装置を設け、このＷｅｂ監視装置は前記設備機器別のメンテナンス情報をそれぞれ登録、設定、変更可能にする過程を有し、
前記各パソコンは、クライアント側として前記Ｗｅｂ監視装置とのネットワーク通信によって、該Ｗｅｂ監視装置内のメンテナンス情報を共有管理情報としてその登録、設定、変更、確認を行う過程を有することを特徴とする。
【発明の効果】
【００１１】
以上のとおり、本発明によれば、メンテナンス情報の変更および整合性確保が確実、容易になる。具体的には、以下の効果がある。
【００１２】
（１）メンテナンス情報の共有管理により、ある設備機器のメンテナンス情報を１台のパソコンで設定変更すると、他のパソコンも設定変更された情報を確認することができ、他のパソコンでの設定変更が不要になる。
【００１３】
（２）パソコンはメンテナンス情報の設定、変更のための専用のアプリケーションソフトをインストールする必要がなく、どのクライアントパソコンからもＷｅｂ監視装置に対するネットワーク通信機能を使ってメンテナンス情報を設定、変更および確認が可能になる。
【００１４】
（３）設備機器の交換等でメンテナンス情報が変更になった場合、クライアントパソコンに情報を登録することなく、外部からＷｅｂ監視装置にアクセスし、変更内容を登録することが可能になる。
【発明を実施するための最良の形態】
【００１５】
（１）システム構成
図１は、本発明の実施形態を示すシステム構成図である。同図が図７と異なる部分は、現場設備１側にＷｅｂ監視装置１Ｃを設けた点にある。
【００１６】
このＷｅｂ監視装置１Ｃは、各設備１Ａ、１Ｂ等にもつ多数の機器別にメンテナンス情報を一括して登録、設定、変更可能にする。パソコン２Ａ〜２Ｄは、クライアント側としてＷｅｂ監視装置１Ｃとのネットワーク通信によって、Ｗｅｂ監視装置１Ｃ内のメンテナンス情報を共有管理情報としてその登録、設定、変更、確認等を可能にするアプリケーションを搭載する。
【００１７】
このメンテナンス情報の共有管理により、ある設備機器のメンテナンス情報を１台のパソコンで設定変更すると、他のパソコンも設定変更された情報を確認することができ、他のパソコンでの設定変更を不要にする。
【００１８】
また、パソコンはメンテナンス情報の設定、変更のための専用のアプリケーションソフトをインストールする必要がなく、どのクライアントパソコンからもＷｅｂ監視装置に対するネットワーク通信機能を使ってメンテナンス情報を設定、変更および確認を可能にする。
【００１９】
また、設備機器の交換等でメンテナンス情報が変更になった場合、クライアントパソコンに情報を登録することなく、外部からＷｅｂ監視装置にアクセスし、変更内容を登録することを可能にする。
【００２０】
（２）メンテナンス情報の確認、設定手順
図２はメンテナンス情報の設定手順を示す。パソコン２Ａ〜２Ｄは、Ｗｅｂ監視装置１ＣのＵＲＬをＷｅｂ画面上のアドレスバーに入力し、設備台帳画面を開く（Ｓ１）。この設備台帳として、図３には設備機器の運転時間画面の例を示す。この画面では、設備機器名称と機器番号とその運転時間または始動回数をディジタル値（ＸＸ時間）と棒グラフ形式（グラフの最大値がメンテナンス時間とする）で表示し、さらに目安となるメンテナンス時間も表示する。
【００２１】
この設備台帳画面からメンテナンス情報を確認する場合（Ｓ２）、確認する設備機器の項目（機器の名称、機器番号、メンテナンス情報）をマウスのカーソル合わせと左クリックし、当該設備機器の項目設定画面を表示させ（Ｓ３）、確認する設備機器の「機器仕様」、「電話番号」等の設定内容の確認を可能にする（Ｓ４）。
【００２２】
この項目設定画面例として、排ガスボイラをマウスで指定した場合を図４に示し、機器名称、仕様、メーカ、形式、機器番号、メンテナンス時間、備考などについて設定内容を表示すると共に、「登録」、「キャンセル」、「メンテナンス履歴」、「カウンタリセット」等の操作ボタンを表示する。
【００２３】
次に、項目設定画面で確認された設備機器について、設定内容の変更が必要な場合（Ｓ５）、項目設定画面上の設定内容をキーボード等で変更し、「登録」ボタンを押すことで（Ｓ６）、Ｗｅｂ監視装置内のメンテナンス情報を更新させ（Ｓ７）、設備台帳画面に戻る（Ｓ８）。また、設定内容の変更をしない場合（Ｓ５）、項目設定画面上の「キャンセル」ボタンを押すことで（Ｓ９）、設備台帳画面に戻る（Ｓ８）。
【００２４】
（３）メンテナンス履歴
項目設定画面上の「メンテナンス履歴」ボタンを操作したとき、図５に示すように、選択されている機器（ここでは排ガスボイラ）の機器名称と機器番号と共にメンテナンス履歴を表示する。図中、メンテナンス履歴は若い番号が最新のもので、最新のメンテナンス履歴を１０件まで表示可能にしている。
【００２５】
（４）カウンタリセット
項目設定画面上の「カウンタリセット」ボタンを操作したとき、図６に示すように、カウンタリセットの確認メッセージを表示させる。この表示に対して、「はい（Ｙ）」のボタンを押すと、選択されている機器（ここでは排ガスボイラ）の運転時間または始動回数を「０」にし、メンテナンス履歴画面にリセットした時刻を追加更新し、詳細設定画面に戻す。また「いいえ（Ｎ）」のボタンを押すと、なにもせずに詳細項目設定画面に戻す。
【図面の簡単な説明】
【００２６】
【図１】本発明の実施形態を示すシステム構成図。
【図２】実施形態におけるメンテナンス情報の設定手順図。
【図３】実施形態における運転時間画面例。
【図４】実施形態における詳細項目設定画面例。
【図５】実施形態におけるメンテナンス履歴画面例。
【図６】実施形態におけるカウンタリセット画面例。
【図７】従来のシステム構成図。
【符号の説明】
【００２７】
１  現場設備
１Ｃ  Ｗｅｂ監視装置
２Ａ〜２Ｄ  パソコン
【図１】
2008102650.tif 000003
【図２】
2008102650.tif 000004
【図７】
2008102650.tif 000005
【図３】
2008102650.tif 000006
【図４】
2008102650.tif 000007
【図５】
2008102650.tif 000008
【図６】
2008102650.tif 000009